(57)【特許請求の範囲】
【請求項１】
床パネルと耐力壁である壁パネルとで箱型に組まれた複数の居室ユニットのそれぞれの上に、傾斜屋根面を形成する屋根構造体が設けられたユニット建物において、
前記各屋根構造体の開放されて吹き抜けになされた水平な底面の一部に、居室ユニット単位で分割された水平構面パネルが設けられ、前記各屋根構造体には、前記各居室ユニットの前記壁パネルのない面部上に位置して梁が設けられ、該各梁は、前記各居室ユニットの前記壁パネルの直上に位置する前記各屋根構造体の小壁間に架け渡されており、前記水平構面パネルの分割端部は、該分割端部に取り付けられた受材を介して前記梁に取り付けられており、前記各屋根構造体の前記底面を開放することによる該底面の水平構面不足を補うために、隣接する前記水平構面パネルの前記分割端部間で前記両梁を前記分割端部に沿って設けられたジョイントプレートによって接合することにより前記分割端部間を前記梁及び前記受材を介して強固に接合し、前記各居室ユニットの前記壁パネルの直上に位置する軒桁小壁を備える前記屋根構造体に設けられた前記水平構面パネルを前記軒桁小壁に接続し、これにより、前記水平構面パネルに大スパンの耐風梁と同じ働きをさせることを特徴とするユニット建物。
【請求項２】
前記屋根構造体が、下の居室ユニットと略同一平面形状の底フレームを備え、この底フレームの一部に水平構面パネルが取り付けられており、前記受材は、前記底フレームに取り付けられており、前記梁は、前記受材を介して前記底フレームに取り付けられており、これにより、前記水平構面パネルは、前記底フレーム及び前記受材を介して前記梁に取り付けられていることを特徴とする請求項１記載のユニット建物。
【発明の詳細な説明】
【０００１】
【発明の属する技術分野】
本発明は、ユニット建物に関する。
【０００２】
【従来の技術】
従来、傾斜屋根面の勾配が６寸を越える急勾配屋根の場合、緩勾配屋根と異なり、屋根を水平構面とみなすことができず、小屋裏の床を設けている。そして、この床上を居室や収納として利用している（特開平７−２６６４８号公報参照）。
上記公報記載のものは、小屋裏収納用の床をパネル化し、対面する壁パネルの内部間に容易に取り付けられて、現場での省力化・工期短縮化が図れるようにしたものである。
【０００３】
【発明が解決しようとする課題】
しかしながら、上記従来技術において、勾配が６寸を越える屋根で、傾斜天井などの吹き抜けにする場合、小屋裏の床を設けないので、水平構面が不足するという問題がある。
これを補うために小屋裏に耐風梁が用いられるが、大スパンの部材となる。
複数個に分割して工場生産された居室ユニットを隣接配置して構築されるユニット建物では、大スパンとなる上記耐風梁を建築現場で居室ユニット間に跨がらせて設置しなければならないので、建築現場での作業工数がかかり、工期を遅延させる一因ともなる。
【０００４】
本発明は、上記の問題に着目してなされたものであって、傾斜屋根面を形成する屋根構造体が設けられたユニット建物において、建築現場での作業を容易にして水平構面を確保できるユニット建物を提供することにある。
【０００５】
【課題を解決するための手段】
請求項１記載の発明は、床パネルと耐力壁である壁パネルとで箱型に組まれた複数の居室ユニットのそれぞれの上に、傾斜屋根面を形成する屋根構造体が設けられたユニット建物において、前記各屋根構造体の開放されて吹き抜けになされた水平な底面の一部に、居室ユニット単位で分割された水平構面パネルが設けられ、前記各屋根構造体には、前記各居室ユニットの前記壁パネルのない面部上に位置して梁が設けられ、該各梁は、前記各居室ユニットの前記壁パネルの直上に位置する前記各屋根構造体の小壁間に架け渡されており、前記水平構面パネルの分割端部は、該分割端部に取り付けられた受材を介して前記梁に取り付けられており、前記各屋根構造体の前記底面を開放することによる該底面の水平構面不足を補うために、隣接する前記水平構面パネルの前記分割端部間で前記両梁を前記分割端部に沿って設けられたジョイントプレートによって接合することにより前記分割端部間を前記梁及び前記受材を介して強固に接合し、前記各居室ユニットの前記壁パネルの直上に位置する軒桁小壁を備える前記屋根構造体に設けられた前記水平構面パネルを前記軒桁小壁に接続し、これにより、前記水平構面パネルに大スパンの耐風梁と同じ働きをさせることを特徴とする。
【０００６】
請求項２記載の発明は、請求項１記載のユニット建物において、前記屋根構造体が、下の居室ユニットと略同一平面形状の底フレームを備え、この底フレームの一部に水平構面パネルが取り付けられており、前記受材は、前記底フレームに取り付けられており、前記梁は、前記受材を介して前記底フレームに取り付けられており、これにより、前記水平構面パネルは、前記底フレーム及び前記受材を介して前記梁に取り付けられていることを特徴とする。
【０００７】
（作用）
請求項１記載の本発明によれば、前記屋根構造体の開放された水平な底面の一部に、居室ユニット単位で分割された水平構面パネルが並設され、隣接する水平構面パネルの分割端部間を強固に接合してなるものであるから、接合された水平構面パネルが大スパンの耐風梁と同じ働きをして、ユニット建物の水平構面を確保する。
また、上記水平構面パネルは居室ユニット単位で分割されているので、建築現場での作業が容易になる。
【０００８】
請求項２記載の本発明によれば、さらに、前記屋根構造体が、下の居室ユニットと略同一平面形状の底フレームを備え、この底フレームの一部に水平構面パネルが取り付けられているので、水平構面パネルの屋根構造体への取付けが確実となり、ユニット建物の耐力が向上する。
【０００９】
【発明の実施の形態】
以下、図面を参照して、この発明の実施の形態について説明する。
図１〜図１３は、本発明の一実施例であって、図１はユニット建物を模式的に示す斜視図、図２は居室ユニットの斜視図、図３と図４は屋根構造体の斜視図、図５（イ）図は図１のＡ−Ａ線における断面図、（ロ）図はジョイントパイプの断面図、図６は水平構面パネルの分割端部間の接合構造を示す斜視図、図７は水平構面パネルの分割端部間の接合構造を示す平面図、図８は軒桁小壁と水平構面パネルとの接合構造を示す斜視図、図９は軒桁小壁と水平構面パネルとの接合構造を示す断面図、図１０は妻小壁と水平構面パネルとの接合構造を示す斜視図、図１１は妻小壁と水平構面パネルとの接合構造を示す断面図、図１２は天井梁と水平構面パネルとの接合構造を示す斜視図、図１３は水平構面パネルの分割端部間の接合構造を示す断面図である。
【００１０】
図１に示す本実施例のユニット建物１は、箱型に組まれた複数の居室ユニット２、３、２のそれぞれの上に、傾斜屋根面を形成する屋根構造体４、５、４が設けられたものであって、この屋根構造体４、５の底面は開放されており、居室ユニット２、３の居室空間とは吹き抜けになされている。
上記屋根構造体４、５の上には、不図示の屋根パネルで覆われて切妻形式の屋根が形成される。
【００１１】
上記居室ユニット２は、図２に示すように、床パネル２１の三方縁部に耐力壁である壁パネル２２、２３、２４が立設されて、平面視コ字形状の箱型になされている。
上記壁パネル２２、２３は、いずれも、外壁面材が貼設されて屋外側に面しているが、壁パネル２４は内壁面材が貼設された間仕切り壁であって、この壁パネル２４に隣接して不図示の居室ユニットが配置される。
両側の居室ユニット２、２の間に配置されている居室ユニット３は、床パネル３１の対向する短辺に耐力壁である壁パネル３２、３３が立設されて、平面視ニ字形状の箱型になされている。
上記壁パネル３２は、外壁面材が貼設されて屋外側に面しているが、壁パネル３３は内壁面材が貼設された間仕切り壁であって、この壁パネル３３に隣接して不図示の居室ユニットが配置される。
【００１２】
上記居室ユニット２の上に搭載される屋根構造体４を図３に示し、上記居室ユニット３の上に搭載される屋根構造体５を図４に示している。
屋根構造体４は、下の居室ユニット２と略同一平面形状の底フレーム４１を備え、この底フレーム４１の一部（屋外側の壁パネル２１側）に厚さ２０ｍｍのパーチクルボードを貼設して水平構面パネル６を形成している。
また、屋根構造体４には、居室ユニット２の壁パネル２３、２４の直上に位置して、略三角形の妻小壁４３、４３が設けられ、壁パネル２２の直上に位置して軒桁小壁４２が設けられている。
そしてまた、居室ユニット２の壁パネルのない面部上に位置して天井梁４４が設けられ、妻小壁４３、４３の上角部間につなぎ梁４５が架け渡されている。
【００１３】
屋根構造体５は、図４に示すように、下の居室ユニット３と略同一平面形状の底フレーム５１を備え、この底フレーム５１の一部（屋外側の壁パネル３１側）にも、上記屋根構造体４と同様にして、水平構面パネル６が設けられている。
すなわち、屋根構造体５の水平構面パネル６と、屋根構造体４の水平構面パネル６とは、居室ユニット２、３単位で分割されて並設されている。
【００１４】
また、上記居室構造体５には、居室ユニット３の壁パネル３２、３３の直上に位置して、略五角形の妻小壁５２、５２が設けられ、居室ユニット３の壁パネルのない面部上に位置して天井梁５４、５４が設けられ、妻小壁５３、５３の上角部間につなぎ梁５３が架け渡されている。
【００１５】
上記居室ユニット単位で分割された水平構面パネル６、６、６の隣接する分割端部間は、図５（イ）図に示すように、ジョイントプレート７によって強固に接合されている。なお、図において、８はつなぎ部天井面材である。
すなわち、屋根構造体４においては、水平構面パネル６の分割端部は、天井梁４４にボルト結合されたＺ型鋼でなる受材７１を介して取り付けられている。
この際、コ字形の型鋼でなる天井梁４４の上フランジ面にＺ型鋼でなる受材７１の上フランジ面を重ね合わせる。そして、底フレーム４１に取り付けられたジョイントパイプ７２にボルトを天井梁４４の内側から螺入して、天井梁４４のウェブと受材７１のウェブとを底フレーム４１に締結する。
【００１６】
上記ジョイントパイプ７２は、図５（ロ）図に示すように、内周面にネジが刻まれた小径のパイプ７２１と、フランジ７２２とからなり、このフランジ７２２を底フレーム４１の側面に当接し釘打ちして予め取り付けられている。
また、屋根構造体５においては、水平構面パネル６の分割端部は、天井梁５４にボルト結合されたＺ型鋼でなる受材７１を介して上記屋根構造体４と同様にして取り付けられている。
【００１７】
そして、図６に示すように、上記受材７１、７１の上面にジョイントプレート７を架け渡し、ボルト止めする。
すると、受材７１、７１が上記ジョイントプレート７によって天井梁４４、５４と共に接合され、その結果、受材７１に取り付けられた隣接する水平構面パネル６、６の分割端部間が強固に接合される。
なお、上記ジョイントプレート７は、図７に示すように、水平構面パネル６の分割端部に沿って複数個間隔を開けて設けられているが、一体ものであってもよい。
【００１８】
屋根構造体４の軒桁小壁４２と水平構面パネル６との接続構造を、図８と図９を参照して説明する。
軒桁小壁４２の内側面長手方向に沿ってＬ型鋼でなる受材４７を釘打ちして取り付けておき、一部に水平構面パネル６が設けられた底フレーム４１をこの受材４７の上に載置し、下方から天井面材４６と共に釘打ちして取り付けることにより、軒桁小壁４２と水平構面パネル６とが接続されている。
【００１９】
屋根構造体４の妻小壁４３と水平構面パネル６との接続は、図１０と図１１に示すように、一部に水平構面パネル６が設けられた底フレーム４１を妻小壁４３のフレームに釘打ちして取り付けられている。そして、上記水平構面パネル６の下方に天井面材４６が貼設される。
なお、屋根構造体５の妻小壁５２と水平構面パネル６との接続は、上記と同様であるから説明を省略する。
【００２０】
屋根構造体４の天井梁４４と水平構面パネル６との接続は、前記した通りであるが、図１２に示すように、底フレーム４１の天井梁４４と直交する側面にも受材７３を設けて接合するようにしてもよい。
また、図１３に示すように、水平構面パネル６上の小屋裏をロフトＬとして利用する場合、下方の天井面材５５を吊り天井方式で取り付けるとよい。すると、水平構面パネル６で生じる振動音の直下の居室への伝搬を減少させることができる。
【００２１】
（実施例の作用）
上記した本実施例によれば、屋根構造体４、５の開放されて吹き抜けになされた水平な底面の一部に、居室ユニット２、３単位で分割された水平構面パネル６、６が並設され、隣接する水平構面パネル６、６の分割端部間をジョイントプレート７によって強固に接合してなるものであるから、接合された水平構面パネル６、６が大スパンの耐風梁と同じ働きをして、ユニット建物１の水平構面を確保する。
また、上記水平構面パネル６、６は居室ユニット２、３単位で分割されているので、工場生産される屋根構造体４、５に予め工場付けしておけば、建築現場での作業が容易になり工期の短縮が図れる。
【００２２】
さらに、前記屋根構造体４、５が、下の居室ユニット２、３と略同一平面形状の底フレーム４１、５１を備え、この底フレーム４１、５１の一部にフレームを共有して水平構面パネル６、６が取り付けられているので、水平構面パネル６の屋根構造体４、５への取付けが容易で確実となり、ユニット建物１の耐力が向上する。
【００２３】
【発明の効果】
請求項１記載の本発明によれば、接合された水平構面パネルが大スパンの耐風梁と同じ働きをして、ユニット建物の水平構面を確保するので、勾配の大きな屋根でかつ吹き抜けの傾斜天井を備えた仕様のユニット建物を提案できる。
そして、水平構面パネルの上面をロフトや収納として利用できる。
また、上記水平構面パネルは居室ユニット単位で分割されているので、建築現場での作業が容易になり、現場工期を短縮できる。
【００２４】
請求項２記載の本発明によれば、さらに、前記屋根構造体が、下の居室ユニットと略同一平面形状の底フレームを備え、この底フレームの一部に水平構面パネルが取り付けられているので、水平構面パネルの屋根構造体への取付けが確実となり、ユニット建物の耐力が向上する。
【図面の簡単な説明】
【図１】本発明の一実施例であって、ユニット建物を模式的に示す斜視図である。
【図２】居室ユニットの斜視図である。
【図３】屋根構造体の斜視図である。
【図４】屋根構造体の斜視図である。
【図５】（イ）図は図１のＡ−Ａ線における断面図、（ロ）図はジョイントパイプの断面図である。
【図６】水平構面パネルの分割端部間の接合構造を示す斜視図である。
【図７】水平構面パネルの分割端部間の接合構造を示す平面図である。
【図８】軒桁小壁と水平構面パネルとの接合構造を示す斜視図である。
【図９】軒桁小壁と水平構面パネルとの接合構造を示す断面図である。
【図１０】妻小壁と水平構面パネルとの接合構造を示す斜視図である。
【図１１】妻小壁と水平構面パネルとの接合構造を示す断面図である。
【図１２】天井梁と水平構面パネルとの接合構造を示す斜視図である。
【図１３】水平構面パネルの分割端部間の接合構造を示す断面図である。
【符号の説明】
１          ユニット建物
２、３      居室ユニット
４、５      屋根構造体
６          水平構面パネル
４１、５１  底フレーム
【図１】
0003739241.tif 000002
【図２】
0003739241.tif 000003
【図３】
0003739241.tif 000004
【図４】
0003739241.tif 000005
【図５】
0003739241.tif 000006
【図６】
0003739241.tif 000007
【図７】
0003739241.tif 000008
【図８】
0003739241.tif 000009
【図９】
0003739241.tif 000010
【図１０】
0003739241.tif 000011
【図１１】
0003739241.tif 000012
【図１２】
0003739241.tif 000013
【図１３】
0003739241.tif 000014